【手続補正書】
【提出日】平成20年2月12日(2008.2.12)
【手続補正１】
【補正対象書類名】明細書
【補正対象項目名】発明の名称
【補正方法】変更
【補正の内容】
【発明の名称】デジタル放送受信装置、デジタル放送受信方法、デジタル放送受信用の記録媒体
【手続補正２】
【補正対象書類名】明細書
【補正対象項目名】特許請求の範囲
【補正方法】変更
【補正の内容】
【特許請求の範囲】
【請求項１】ユーザが所望する少なくとも一つのプログラムを指定するステップと、
第１のトランスポートストリームにおける、不要パケットのパケット識別子である不要パケット識別子に対応する、所望のプログラムのために必要でないパケットの領域である不要パケット領域に対して、第２のトランスポートストリームにおける、必要パケットのパケット識別子である必要パケット識別子に対応する、所望のプログラムのために必要なパケットである必要パケットを上書きし、単一のカスタムトランスポートストリームを生成するステップと、
を含むデジタル放送受信方法。
【請求項２】ユーザが所望する少なくとも一つのプログラムを指定するステップと、
第１のトランスポートストリームにおける、必要パケットのパケット識別子である必要パケット識別子に対応する、所望のプログラムのために必要なパケットである必要パケットを抽出するステップと、
第２のトランスポートストリームにおける、必要パケットのパケット識別子である必要パケット識別子に対応する、所望のプログラムのために必要なパケットである必要パケットを抽出するステップと、
第1のトランスポートストリームから抽出したパケットと、第２のトランスポートストリームから抽出したパケットとを挿入して、新しいトランスポートストリームが単一のカスタムトランスポートストリームとして生成されるようにするステップと、
を含むデジタル放送受信方法。
【請求項３】第１、第２のトランスポートストリームのパケットのパケット識別子が互いに異なるように、第１、第２のトランスポートストリームのうち少なくともいずれか一方のパケットのパケット識別子を書き換える、ことを特徴とする請求項１または２に記載のデジタル放送受信方法。
【請求項４】上書きで新たにパケットを追加する側のトランスポートストリームのパケットの方のパケット識別子を書き換える、ことを特徴とする請求項３に記載のデジタル放送受信方法。
【請求項５】次の多重処理に使用すべきパケット識別子の番号であるスタートパケット識別子番号を記憶するステップと、
多重処理を行うごとに前記スタートパケット識別子番号を更新するステップと、
を含む、ことを特徴とする請求項３または４に記載のデジタル放送受信方法。
【請求項６】パケット識別子をユーザに開放されるように書き換えるステップを含む、ことを特徴とする請求項３ないし５のいずれかに記載のデジタル放送受信方法。
【請求項７】前記不要パケット識別子に対応する不要パケット領域として空白パケット領域を優先して、必要パケット識別子に対応するパケットの上書きを行う、ことを特徴とする請求項１に記載のデジタル放送受信方法。
【請求項８】前記上書きを受ける側のトランスポートストリーム上での空白パケットの検出頻度が高いときには前記空白パケット領域を優先して上書きの対象となし、かつ、前記抽出されるパケットの空白パケットへの上書きが中断して上書きの待機状態にあるパケットの数が所定値に達するときには他の不要パケット領域への上書きを行う、ことを特徴とする請求項７に記載のデジタル放送受信方法。
【請求項９】多重するパケットが含まれている複数のトランスポートストリームとして、
（ａ）視聴希望番組データを含むトランスポートストリーム、
（ｂ）番組表関連データを含むトランスポートストリーム、
（ｃ）ダウンロードデータを含むトランスポートストリーム、
（ｄ）録画希望番組データを含むトランスポートストリーム、
（ｅ）データ放送番組データを含むトランスポートストリーム、
（ｆ）その他の番組データを含むトランスポートストリーム、
のうちから任意に選択可能である、ことを特徴とする請求項１または２に記載のデジタル放送受信方法。
【請求項１０】入力する第１のトランスポートストリームについての必要パケット識別子を登録するステップと、
入力する第２のトランスポートストリームについての必要パケット識別子を登録するステップと、
前記登録された第１のトランスポートストリームについての必要パケット識別子と、前記入力した第１のトランスポートストリームについてのパケット識別子との比較に基づいて不要パケット識別子を検出するステップと、
入力した第２のトランスポートストリームから前記登録された第２のトランスポートストリームについての必要パケット識別子に対するパケットを抽出するステップと、
前記第１のトランスポートストリームにおいて前記検出した不要パケット識別子に対する不要パケット領域に対して前記入力した第２のトランスポートストリームから抽出したパケットを上書きするステップと、
をさらに含む、ことを特徴とする請求項１に記載のデジタル放送受信方法。
【請求項１１】ユーザが所望する少なくとも一つのプログラムを指定する入力手段と、
入力する第１のトランスポートストリームにおける、不要パケットのパケット識別子である不要パケット識別子に対応する、所望のプログラムのために必要でないパケットの領域である不要パケット領域を検出する不要パケット検出手段と、
入力する第２のトランスポートストリームにおける、必要パケットのパケット識別子である必要パケット識別子に対応する、所望のプログラムのために必要なパケットである必要パケットを抽出する必要パケット抽出手段と、
前記不要パケット検出手段によって前記第１のトランスポートストリーム上に検出される前記不要パケット領域に対して、前記必要パケット抽出手段によって前記第２のトランスポートストリームから抽出されるパケットを上書きし、単一のカスタムトランスポートストリームを生成するパケット上書き手段と、
を備えているデジタル放送受信装置。
【請求項１２】ユーザが所望する少なくとも一つのプログラムを指定する入力手段と、
入力する第1のトランスポートストリームにおける、必要パケットのパケット識別子である必要パケット識別子に対応する、所望のプログラムのために必要なパケットである必要パケットを抽出する第１の必要パケット抽出手段と、
入力する第2のトランスポートストリームにおける、必要パケットのパケット識別子である必要パケット識別子に対応する、所望のプログラムのために必要なパケットである必要パケットを抽出する第２の必要パケット抽出手段と、
前記第１、第２の必要パケット抽出手段によって前記第１、第２のトランスストリームから抽出したパケットを挿入して、新しいトランスポートストリームが単一のカスタムトランスポートストリームとして生成されるようにするパケット挿入手段と、
を備えているデジタル放送受信装置。
【請求項１３】互いに多重されるべき双方のパケットどうしについて同じパケット識別子を有するか否かを判定する同一パケット識別子判定手段と、
前記同一パケット識別子判定手段によって判定されるパケットについて相手側のパケット識別子を異にするように、少なくともいずれか一方のパケット識別子を書き換えるパケット識別子変換手段と、
を備えている、ことを特徴とする請求項１１または１２に記載のデジタル放送受信装置。
【請求項１４】前記パケット識別子変換手段は、双方のトランスポートストリームから抽出されるすべてのパケットのパケット識別子を、互いに異るように書き換えるように構成されている、ことを特徴とする請求項１３に記載のデジタル放送受信装置。
【請求項１５】前記上書きを受ける側のトランスポートストリームから空白パケットを計数する空白パケット計数手段と、
前記上書きで追加する側の抽出後のパケットを計数するパケット計数手段と、
前記空白パケット計数手段による空白パケットの計数値と前記パケット計数手段によるパケットの計数値を比較する比較手段と、
前者の計数値が後者の計数値以上のときは前記不要パケット識別子に対応する不要パケット領域として空白パケット領域を優先して指定する空白パケット優先指定手段と、
を備えている、ことを特徴とする請求項１１に記載のデジタル放送受信装置。
【請求項１６】デジタル放送波の変調派を受信するチューナと、
前記チューナから出力される信号を復調してトランスポートストリームを出力する復調部の複数の組と、
所望するトランスポートストリームを複数選択し出力先を指定する入力部と、
を備え、
前記不要パケット検出手段は、前記復調部の一つから入力する第１のトランスポートストリームにおける不要パケット識別子に対応する不要パケット領域を検出し、
前記必要パケット抽出手段は、前記とは別の復調部から入力する第２のトランスポートストリームにおける必要パケット識別子に対応するパケットを抽出し、
前記第１のトランスポートストリームにおける不要パケット領域に対して、前記第２のトランスポートストリームから抽出されるパケットを上書きすることによって得られ、前記パケット上書き手段から出力される前記カスタムトランスポートストリームを、前記入力部で指定される前記出力先へ出力するように構成してある、ことを特徴とする請求項１１に記載のデジタル放送受信装置。
【請求項１７】デジタル放送波の変調波を受信するチューナと、
前記チューナから出力される信号を復調してトランスポートストリームを出力する復調部の複数の組と、
所望するトランスポートストリームを複数選択し出力先を指定する入力部と、
を備え、
前記第１の必要パケット抽出手段は、前記復調部の一つから入力する第１のトランスポートストリームにおける必要パケット識別子に対応するパケットを抽出し、
前記第２の必要パケット抽出手段は、前記とは別の復調部から入力する第２のトランスポートストリームにおける必要パケット識別子に対応するパケットを抽出し、
前記第１、第２の必要パケット抽出手段によって抽出するパケットを新たなトランスポートストリームに挿入することによって得られ、前記パケット挿入手段から出力される前記カスタムトランスポートストリームを、前記入力部で指定される前記出力先へ出力するように構成してある、ことを特徴とする請求項１２に記載のデジタル放送受信装置。
【請求項１８】（ａ）映像再生装置、（ｂ）音声記録再生装置、（ｃ）デジタル映像記録装置のうちから任意に選択される装置をさらに備えている、ことを特徴とする請求項１１から１７のいずれかに記載のデジタル放送受信装置。
【請求項１９】入力する第１のトランスポートストリームについての、ユーザのインプットによって指定される所望のプログラムのために必要なパケットのパケット識別子である必要パケット識別子を登録する手順と、
入力する第２のトランスポートストリームについての必要パケット識別子を登録する手順と、
前記登録された第１のトランスポートについての必要パケット識別子と、入力した第１のトランスポートストリームについてのパケット識別子との比較に基づいて、ユーザのインプットによって指定される所望のプログラムのために必要でないパケットのパケット識別子である不要パケット識別子を検出する手順と、
入力した第２のトランスポートストリームから前記登録された第２のトランスポートストリームについての必要パケット識別子に対するパケットを抽出する手順と、
前記第１のトランスポートストリームにおいて前記検出した不要パケット識別子に対する不要パケット領域に対して、前記入力した第２のトランスポートストリームから抽出したパケットを上書きする手順と、
を実行させるためのプログラムを記録したコンピュータ読み取り可能なデジタル放送受信用の記録媒体。
【手続補正３】
【補正対象書類名】明細書
【補正対象項目名】００３９
【補正方法】削除
【補正の内容】
【手続補正４】
【補正対象書類名】明細書
【補正対象項目名】００４０
【補正方法】削除
【補正の内容】
【手続補正５】
【補正対象書類名】明細書
【補正対象項目名】００４１
【補正方法】変更
【補正の内容】
【００４１】
本願第１の発明のデジタル放送受信方法は、ユーザが所望する少なくとも一つのプログラムを指定するステップと、第１のトランスポートストリームにおける、不要パケットのパケット識別子である不要パケット識別子に対応する、所望のプログラムのために必要でないパケットの領域である不要パケット領域に対して、第２のトランスポートストリームにおける、必要パケットのパケット識別子である必要パケット識別子に対応する、所望のプログラムのために必要なパケットである必要パケットを上書きし、単一のカスタムトランスポートストリームを生成するステップとを含むものである。
【手続補正６】
【補正対象書類名】明細書
【補正対象項目名】００４２
【補正方法】変更
【補正の内容】
【００４２】
この第１の発明は、第１のトランスポートストリームについては、これを分割することなく、ストリームの形態で利用し、第２のトランスポートストリームについてはパケット単位に分割するようにしたものである。
【手続補正７】
【補正対象書類名】明細書
【補正対象項目名】００４３
【補正方法】変更
【補正の内容】
【００４３】
すなわち、第１のトランスポートストリームにおいてはストリームの形態のまま不要パケット識別子に基づいて不要パケット領域を把握し、第２のトランスポートストリームからは必要パケット識別子に基づいてパケット単位で必要パケットを抽出する。そして、抽出した必要パケットを第１のトランスポートストリームにおける不要パケット領域に対して上書きすることにより、上記と同様の元は互いに異なる複数のトランスポートストリームに含まれていた複数の必要パケットを合流した状態で含む共通のカスタム・トランスポートストリームを生成することになる。
【手続補正８】
【補正対象書類名】明細書
【補正対象項目名】００４４
【補正方法】変更
【補正の内容】
【００４４】
この第１の発明によると、元は互いに異なる複数のトランスポートストリームに含まれていた複数の必要パケットを合流した状態で含む共通のカスタム・トランスポートストリームを生成することになる。したがって、トランスポートストリーム分離部をはじめとして、後段の各種のデコーダやデジタルインタフェースなどをトランスポートストリーム１系統に対応したものとして簡易に構築することが可能となる。さらに、各トランスポートストリームの伝送ビットレートの合計以上の周波数に時分割多重するように構成された従来の技術のデジタル放送受信装置（例えば特開平１１−１２２５５６号公報参照）の場合のような高い周波数の発生手段を不要化できるとともに、対象のトランスポートストリームとしてより高速なものの取り扱いが可能となり、全体として、コストダウンとダウンサイジングが可能となる。また、第１のトランスポートストリームについてはパケット単位で分割する必要がなく、ストリームの形態のまま取り扱うことができるので、共通のカスタム・トランスポートストリームを効率的に生成することが可能となる。
【手続補正９】
【補正対象書類名】明細書
【補正対象項目名】００４５
【補正方法】変更
【補正の内容】
【００４５】
本願第２の発明のデジタル放送受信方法は、ユーザが所望する少なくとも一つのプログラムを指定するステップと、第１のトランスポートストリームにおける、必要パケットのパケット識別子である必要パケット識別子に対応する、所望のプログラムのために必要なパケットである必要パケットを抽出するステップと、第２のトランスポートストリームにおける、必要パケットのパケット識別子である必要パケット識別子に対応する、所望のプログラムのために必要なパケットである必要パケットを抽出するステップと、第1のトランスポートストリームから抽出したパケットと、第２のトランスポートストリームから抽出したパケットとを挿入して、新しいトランスポートストリームが単一のカスタムトランスポートストリームとして生成されるようにするステップとを含むものである。
【手続補正１０】
【補正対象書類名】明細書
【補正対象項目名】００４６
【補正方法】変更
【補正の内容】
【００４６】
この第２の発明は、第１のトランスポートストリームについても第２のトランスポートストリームについても、必要パケット識別子に基づいてパケット単位で必要パケットを分割して抽出するようにしたものである。その抽出した双方の必要パケットを互いに挿入することにより、共通のカスタム・トランスポートストリームを生成する。
【手続補正１１】
【補正対象書類名】明細書
【補正対象項目名】００４７
【補正方法】変更
【補正の内容】
【００４７】
この第２の発明によると、元は互いに異なる複数のトランスポートストリームに含まれていた複数の必要パケットを合流した状態で含む共通のカスタム・トランスポートストリームを生成することになる。したがって、トランスポートストリーム分離部をはじめとして、後段の各種のデコーダやデジタルインタフェースなどをトランスポートストリーム１系統に対応したものとして簡易に構築することが可能となる。さらに、各トランスポートストリームの伝送ビットレートの合計以上の周波数に時分割多重するように構成された従来の技術のデジタル放送受信装置（例えば特開平１１−１２２５５６号公報参照）の場合のような高い周波数の発生手段を不要化できるとともに、対象のトランスポートストリームとしてより高速なものの取り扱いが可能となり、全体として、コストダウンとダウンサイジングが可能となる。また、生成された共通のカスタム・トランスポートストリームにおいては、それを構成するパケットとして必要パケットの量をより多く確保することが可能となる。すなわち、上記の第１の発明の場合であると、第１のトランスポートストリームはストリーム形態を保ったまま必要パケットを上書きするので、生成された共通のカスタム・トランスポートストリームにおいては、第１のトランスポートストリームに元から含まれていた不要パケットが残っている確率・量が多くなるが、双方のトランスポートストリームとも必要パケットに分割して抽出するこの第２の発明の場合には、共通のカスタム・トランスポートストリームにおいてより多くの必要パケットを組み込むことが可能となる。
【手続補正１２】
【補正対象書類名】明細書
【補正対象項目名】００４８
【補正方法】変更
【補正の内容】
【００４８】
本願第３の発明のデジタル放送受信方法は、上記の第１または第２の発明において、第１、第２のトランスポートストリームのパケットのパケット識別子が互いに異なるように、第１、第２のトランスポートストリームのうち少なくともいずれか一方のパケットのパケット識別子を書き換えることを特徴としている。これは、第２のトランスポートストリームにおける必要パケットのパケット識別子の方を書き換える場合と、第１のトランスポートストリームにおける必要パケットのパケット識別子の方を書き換える場合と、双方のパケット識別子をともに書き換える場合とを含んでいる。いずれにしても、書き換え後のパケット識別子が、残りの必要パケットや不要パケットのパケット識別子と重複しないように書き換えるものとする。
【手続補正１３】
【補正対象書類名】明細書
【補正対象項目名】００４９
【補正方法】変更
【補正の内容】
【００４９】
この第３の発明によると、共通のカスタム・トランスポートストリームにおいて多重された複数のトランスポートストリームからのパケットを、その元のパケット識別子が同じであっても、互いに区別がつく状態のパケット識別子どうしの関係に変換しているので、共通のカスタム・トランスポートストリームにおけるすべてのパケットについて、各々のパケット識別子を一意に決定することが可能となり、所望のパケットの取り出しが確実かつ正確に行えるようになる。
【手続補正１４】
【補正対象書類名】明細書
【補正対象項目名】００５０
【補正方法】変更
【補正の内容】
【００５０】
本願第４の発明のデジタル放送受信方法は、上記の第３の発明において、上書きで新たにパケットを追加する側のトランスポートストリームのパケットの方のパケット識別子を書き換えることを特徴としている。これは、上記第３の発明を限定するもので、パケット識別子を書き換える側を上書きで追加する側のパケットについてのパケット識別子であることを特定したものに相当している。
【手続補正１５】
【補正対象書類名】明細書
【補正対象項目名】００５１
【補正方法】変更
【補正の内容】
【００５１】
この第４の発明による作用は次のとおりである。追加される側のトランスポートストリームはストリームの形態を保ったままであるが、追加する側のパケットは既にストリームから分離されたパケット単位のものとなっているので、パケット識別子の書き換えがより効率的に行われることになる。
【手続補正１６】
【補正対象書類名】明細書
【補正対象項目名】００５２
【補正方法】変更
【補正の内容】
【００５２】
本願第５の発明のデジタル放送受信方法は、上記の第３または第４の発明において、次の多重処理に使用すべきパケット識別子の番号であるスタートパケット識別子番号を記憶するステップと、多重処理を行うごとに前記スタートパケット識別子番号を更新するステップとを含むことを特徴としている。
【手続補正１７】
【補正対象書類名】明細書
【補正対象項目名】００５３
【補正方法】変更
【補正の内容】
【００５３】
この第５の発明による作用は次のとおりである。もし、カスタム・トランスポートストリームにおいて、映像や音声のパケット識別子に重複があると、そのカスタム・トランスポートストリームを再生しようとしても正常に再生することができない。例えば、映像にブロックノイズが発生したり、音声に異常音が発生したりする。そこで、カスタム・トランスポートストリームを作成するたびにパケット識別子を切り替えていくことにより、複数のカスタム・トランスポートストリームにおけるすべてのパケット識別子を互いに異なるものにすれば、この問題を回避することができる。
【手続補正１８】
【補正対象書類名】明細書
【補正対象項目名】００５４
【補正方法】変更
【補正の内容】
【００５４】
本願第６の発明のデジタル放送受信方法は、上記の第３ないし第５のいずれかの発明において、パケット識別子をユーザに開放されるように書き換えるステップを含むことを特徴としている。パケット識別子を書き換えるすべての発明に共通することであるが、書き換えるパケット識別子は、ＭＰＥＧ２規格で定義されているユーザデータ用の番号を使用することが望ましい。それは、システムでは使用されないユーザに開放される番号であり、互換性上のトラブルを回避することができる。
【手続補正１９】
【補正対象書類名】明細書
【補正対象項目名】００５５
【補正方法】変更
【補正の内容】
【００５５】
本願第７の発明のデジタル放送受信方法は、上記の第１の発明において、前記不要パケット識別子に対応する不要パケット領域として空白パケット領域を優先して、必要パケット識別子に対応するパケットの上書きを行うことを特徴としている。これは、パケット多重の形態として上書きタイプの場合についてのものである。
【手続補正２０】
【補正対象書類名】明細書
【補正対象項目名】００５６
【補正方法】変更
【補正の内容】
【００５６】
この第７の発明による作用は次のとおりである。異なるトランスポートストリームに含まれている異種または同種のコンテンツ（エレメント）を任意の組み合わせのもとで共通のカスタム・トランスポートストリームにするので、そのときどきのコンテンツ（エレメント）はランダムに変動することになり、それに伴って不要パケット識別子も変動することになるが、そのような変動にもかかわらず、上書きで追加される側の不要パケット領域として空白パケット（ＮＵＬＬパケット）領域を優先することにより、上書きを効率良く行うことが可能となる。
【手続補正２１】
【補正対象書類名】明細書
【補正対象項目名】００５７
【補正方法】変更
【補正の内容】
【００５７】
本願第８の発明のデジタル放送受信方法は、上記の第７の発明において、前記上書きを受ける側のトランスポートストリーム上での空白パケットの検出頻度が高いときには前記空白パケット領域を優先して上書きの対象となし、かつ、前記抽出されるパケットの空白パケットへの上書きが中断して上書きの待機状態にあるパケットの数が所定値に達するときには他の不要パケット領域への上書きを行うことを特徴としている。
【手続補正２２】
【補正対象書類名】明細書
【補正対象項目名】００５８
【補正方法】変更
【補正の内容】
【００５８】
この第８の発明による作用は次のとおりである。パケット上書き手段は、上書きを受ける側のトランスポートストリームにおける空白パケットを検出して、その検出の頻度が比較的に高いとき、すなわち上書きされるべき空白パケットの数が十分である場合には、後述のような特別な処理は行わずに、そのまま優先的に空白パケット領域に対して上書きを行う。しかし、空白パケットの検出の頻度が比較的に低くて、上書きされるべき空白パケットの数が不足するような場合には、上書きが中断されて、上書きを待つパケットの数が増えるようになる。その待機のパケット数が所定値以上となると、空白パケット領域に対してのみ上書きを行っていると、所定の時間間隔内において追加される側のパケットが過剰に集中する傾向が強まることとなる。したがって、そのようにならないように、待機のパケット数が所定値以上となったときには、空白パケット領域以外の他の不要パケット領域に対する上書きを許容する。これにより、共通のカスタム・トランスポートストリーム上で所定の時間間隔内において追加される側のパケットを分散配置させることが可能となり、後段のトランスポートストリーム分離処理を有利なものとすることが可能となる。
【手続補正２３】
【補正対象書類名】明細書
【補正対象項目名】００５９
【補正方法】変更
【補正の内容】
【００５９】
本願第９の発明のデジタル放送受信方法は、上記の第１または第２の発明において、多重するパケットが含まれている複数のトランスポートストリームとして、（ａ）視聴希望番組データを含むトランスポートストリーム、（ｂ）番組表関連データを含むトランスポートストリーム、（ｃ）ダウンロードデータを含むトランスポートストリーム、（ｄ）録画希望番組データを含むトランスポートストリーム、（ｅ）データ放送番組データを含むトランスポートストリーム、（ｆ）その他の番組データを含むトランスポートストリーム、のうちから任意に選択可能であることを特徴としている。
【手続補正２４】
【補正対象書類名】明細書
【補正対象項目名】００６０
【補正方法】変更
【補正の内容】
【００６０】
この第９の発明によると、デジタル放送の受信形態を非常に多様性のあるものとすることが可能となる。これにより、デジタル放送送信装置から送出される映像・音声を伴う番組、番組表、ダウンロードデータ、電子音楽配信等のデータ放送等の情報がどのトランスポートストリームに含まれるかに関係なく、視聴、番組表表示、録画、ダウンロード、データ放送の受信、マルチ画面表示等、多様なサービスを任意の組み合わせにおいて同時に実現可能とすることができる。
【手続補正２５】
【補正対象書類名】明細書
【補正対象項目名】００６１
【補正方法】変更
【補正の内容】
【００６１】
すなわち、例えば、番組を視聴しながら同時に前記の番組のトランスポートストリームとは異なるトランスポートストリームに含まれている番組表を表示させることや、番組を視聴しながら同時に別のトランスポートストリームに含まれている番組を録画することや、番組を視聴しながら同時に別のトランスポートストリームに含まれているプログラム等のデータをダウンロードすることや、番組を視聴しながら同時に別のトランスポートストリームに含まれているデータ放送番組を受信することや、番組を録画しながら同時に別のトランスポートストリームに含まれているプログラム等のデータをダウンロードすることや、番組を録画しながら同時に別のトランスポートストリームに含まれているデータ放送番組を受信することや、データ放送番組を受信しながら同時に別のトランスポートストリームに含まれているプログラム等のデータをダウンロードすること等々、バラエティに富んだデジタル放送の受信を可能とすることができる。
【手続補正２６】
【補正対象書類名】明細書
【補正対象項目名】００６２
【補正方法】変更
【補正の内容】
【００６２】
本願第１０の発明のデジタル放送受信方法は、上記の第１の発明において、入力する第１のトランスポートストリームについての必要パケット識別子を登録するステップと、入力する第２のトランスポートストリームについての必要パケット識別子を登録するステップと、前記登録された第１のトランスポートストリームについての必要パケット識別子と、前記入力した第１のトランスポートストリームについてのパケット識別子との比較に基づいて不要パケット識別子を検出するステップと、入力した第２のトランスポートストリームから前記登録された第２のトランスポートストリームについての必要パケット識別子に対するパケットを抽出するステップと、前記第１のトランスポートストリームにおいて前記検出した不要パケット識別子に対する不要パケット領域に対して前記入力した第２のトランスポートストリームから抽出したパケットを上書きするステップとをさらに含むことを特徴としている。
【手続補正２７】
【補正対象書類名】明細書
【補正対象項目名】００６３
【補正方法】変更
【補正の内容】
【００６３】
本願第１１のデジタル放送受信装置は、ユーザが所望する少なくとも一つのプログラムを指定する入力手段と、入力する第１のトランスポートストリームにおける、不要パケットのパケット識別子である不要パケット識別子に対応する、所望のプログラムのために必要でないパケットの領域である不要パケット領域を検出する不要パケット検出手段と、入力する第２のトランスポートストリームにおける、必要パケットのパケット識別子である必要パケット識別子に対応する、所望のプログラムのために必要なパケットである必要パケットを抽出する必要パケット抽出手段と、前記不要パケット検出手段によって前記第１のトランスポートストリーム上に検出される前記不要パケット領域に対して、前記必要パケット抽出手段によって前記第２のトランスポートストリームから抽出されるパケットを上書きし、単一のカスタムトランスポートストリームを生成するパケット上書き手段とを備えている。
【手続補正２８】
【補正対象書類名】明細書
【補正対象項目名】００６４
【補正方法】変更
【補正の内容】
【００６４】
この第１１の発明による作用は次のとおりである。不要パケット検出手段は、第１のトランスポートストリームに対する必要パケット識別子ではない不要パケット識別子に基づいて、第１のトランスポートストリームにおける不要とされるべき不要パケット領域を検出する。必要パケット抽出手段は、第２のトランスポートストリームに対する必要パケット識別子に基づいて、第２のトランスポートストリームから必要パケットを分割して抽出する。そして、パケット上書き手段は、第１のトランスポートストリームにおける不要とされるべき不要パケット領域に対して前記の抽出した必要パケットを上書きすることにより、元は互いに異なる複数のトランスポートストリームに含まれていた複数の必要パケットを合流した状態で含む共通のカスタム・トランスポートストリームを生成する。
【手続補正２９】
【補正対象書類名】明細書
【補正対象項目名】００６５
【補正方法】変更
【補正の内容】
【００６５】
したがって、この第１１の発明によると、トランスポートストリーム分離部をはじめとして、後段の各種のデコーダやデジタルインタフェースなどをトランスポートストリーム１系統に対応したものとして簡易に構築することが可能となる。さらに、各トランスポートストリームの伝送ビットレートの合計以上の周波数に時分割多重するように構成された従来の技術のデジタル放送受信装置（例えば特開平１１−１２２５５６号公報参照）の場合のような高い周波数の発生手段を不要化できるとともに、対象のトランスポートストリームとしてより高速なものの取り扱いが可能となり、全体として、コストダウンとダウンサイジングが可能となる。加えて、前者のトランスポートストリームについてはパケット単位で分割する必要がなく、ストリームの形態のまま取り扱うことができるので、共通のカスタム・トランスポートストリームを効率的に生成することが可能となる。
【手続補正３０】
【補正対象書類名】明細書
【補正対象項目名】００６６
【補正方法】変更
【補正の内容】
【００６６】
本願第１２のデジタル放送受信装置は、ユーザが所望する少なくとも一つのプログラムを指定する入力手段と、入力する第1のトランスポートストリームにおける、必要パケットのパケット識別子である必要パケット識別子に対応する、所望のプログラムのために必要なパケットである必要パケットを抽出する第１の必要パケット抽出手段と、入力する第2のトランスポートストリームにおける、必要パケットのパケット識別子である必要パケット識別子に対応する、所望のプログラムのために必要なパケットである必要パケットを抽出する第２の必要パケット抽出手段と、前記第１、第２の必要パケット抽出手段によって前記第１、第２のトランスストリームから抽出したパケットを挿入して、新しいトランスポートストリームが単一のカスタムトランスポートストリームとして生成されるようにするパケット挿入手段とを備えている。
【手続補正３１】
【補正対象書類名】明細書
【補正対象項目名】００６７
【補正方法】変更
【補正の内容】
【００６７】
この第１２の発明による作用は次のとおりである。第１の必要パケット抽出手段は、第１のトランスポートストリームに対する必要パケット識別子に基づいて、第１のトランスポートストリームから必要パケットを分割して抽出する。また、第２の必要パケット抽出手段は、第２のトランスポートストリームに対する必要パケット識別子に基づいて、第２のトランスポートストリームから必要パケットを分割して抽出する。そして、パケット挿入手段は、第１の抽出された必要パケットと第２の抽出された必要パケットとを互いに挿入する（組み立てる）ことにより、元は互いに異なる複数のトランスポートストリームに含まれていた複数の必要パケットを合流した状態で含む共通のカスタム・トランスポートストリームを生成する。
【手続補正３２】
【補正対象書類名】明細書
【補正対象項目名】００６８
【補正方法】変更
【補正の内容】
【００６８】
したがって、この第１２の発明によると、上記第１１の発明と同様に、トランスポートストリーム分離部をはじめとして、後段の各種のデコーダやデジタルインタフェースなどをトランスポートストリーム１系統に対応したものとして簡易に構築することが可能となる。さらに、各トランスポートストリームの伝送ビットレートの合計以上の周波数に時分割多重するように構成された上記公報のデジタル放送受信装置の場合のような高い周波数の発生手段を不要化できるとともに、対象のトランスポートストリームとしてより高速なものの取り扱いが可能となり、全体として、コストダウンとダウンサイジングが可能となる。加えて、双方のトランスポートストリームとも必要パケットに分割して抽出するので、共通のカスタム・トランスポートストリームにおいてより多くの必要パケットを組み込むことが可能となる。
【手続補正３３】
【補正対象書類名】明細書
【補正対象項目名】００６９
【補正方法】変更
【補正の内容】
【００６９】
本願第１３のデジタル放送受信装置は、上記の第１１または第１２の発明において、互いに多重されるべき双方のパケットどうしについて同じパケット識別子を有するか否かを判定する同一パケット識別子判定手段と、前記同一パケット識別子判定手段によって判定されるパケットについて相手側のパケット識別子を異にするように、少なくともいずれか一方のパケット識別子を書き換えるパケット識別子変換手段とを備えていることを特徴としている。
【手続補正３４】
【補正対象書類名】明細書
【補正対象項目名】００７０
【補正方法】変更
【補正の内容】
【００７０】
この第１３の発明による作用は次のとおりである。同一パケット識別子判定手段は、互いに多重されるべき双方の必要パケットどうしについて同じパケット識別子を有しているか否かを判定し、同じパケット識別子があるときは、その判定結果をパケット識別子変換手段に与える。パケット識別子変換手段は、その判定結果に基づいてパケット識別子の書き換えを行ってすべての必要パケットについてパケット識別子が互いに相違するように調整する。そのあとは、上記第１１の発明のように上書きを行うか、第１２の発明のように挿入を行うことにより共通のカスタム・トランスポートストリームを生成する。結果として、共通のカスタム・トランスポートストリームにおいて多重されたすべてのパケットについて、各々のパケット識別子を一意に決定することが可能となり、所望のパケットの取り出しが確実かつ正確に行えるようになる。
【手続補正３５】
【補正対象書類名】明細書
【補正対象項目名】００７１
【補正方法】変更
【補正の内容】
【００７１】
本願第１４のデジタル放送受信装置は、上記の第１３の発明において、前記パケット識別子変換手段は、双方のトランスポートストリームから抽出されるすべてのパケットのパケット識別子を、互いに異るように書き換えるように構成されていることを特徴としている。
【手続補正３６】
【補正対象書類名】明細書
【補正対象項目名】００７２
【補正方法】変更
【補正の内容】
【００７２】
この第１４の発明による作用は次のとおりである。デジタル記録機器、特にＤ‐ＶＨＳのようなテープを用いてシーケンシャルにアクセスする機器を用いてカスタム・トランスポートストリームを記録する場合、第１のカスタム・トランスポートストリームを記録した後に、第２のカスタム・トランスポートストリームを続けて記録するとき、もし、両者のパケット識別子が一致していると、いずれかのカスタム・トランスポートストリームを再生しようとしても正常に再生することができない。具体的には、映像にブロックノイズが発生したり、音声に異常音が発生したりする。
このような場合に、パケット識別子変換手段が双方のトランスポートストリームから抽出するすべてのパケットに対してパケット識別子の付け替えを行う。そのとき互いにパケット識別子がすべて異なるようにする。結果として、カスタム・トランスポートストリームにおいて多重されるすべてのパケットについて、各々のパケット識別子を一意に決定することができ、所望のパケットの取り出しを確実かつ正確に行える。
【手続補正３７】
【補正対象書類名】明細書
【補正対象項目名】００７３
【補正方法】変更
【補正の内容】
【００７３】
本願第１５のデジタル放送受信装置は、上記の第１１の発明において、前記上書きを受ける側のトランスポートストリームから空白パケットを計数する空白パケット計数手段と、前記上書きで追加する側の抽出後のパケットを計数するパケット計数手段と、前記空白パケット計数手段による空白パケットの計数値と前記パケット計数手段によるパケットの計数値を比較する比較手段と、前者の計数値が後者の計数値以上のときは前記不要パケット識別子に対応する不要パケット領域として空白パケット領域を優先して指定する空白パケット優先指定手段とを備えていることを特徴としている。
【手続補正３８】
【補正対象書類名】明細書
【補正対象項目名】００７４
【補正方法】変更
【補正の内容】
【００７４】
この第１５の発明による作用は次のとおりである。空白パケット計数手段によって上書きを受ける側のトランスポートストリームにおける空白パケットを計数し、パケット計数手段によって上書きで追加する側の抽出後のトランスポートストリームパケットを計数し、比較手段において前者の空白パケットの計数値ＣNULLと後者の抽出パケットの計数値ＣNPとを比較し、ＣNULL≧ＣNPとなっているときには、すなわち上書きされるべき空白パケットの数が十分である場合には、優先的に空白パケット領域に対して上書きを行う。その結果として、上書きを効率良く行うことが可能となる。
【手続補正３９】
【補正対象書類名】明細書
【補正対象項目名】００７５
【補正方法】変更
【補正の内容】
【００７５】
本願第１６のデジタル放送受信装置は、上記の第１１の発明において、デジタル放送波の変調派を受信するチューナと、前記チューナから出力される信号を復調してトランスポートストリームを出力する復調部の複数の組と、所望するトランスポートストリームを複数選択し出力先を指定する入力部とを備え、前記不要パケット検出手段は、前記復調部の一つから入力する第１のトランスポートストリームにおける不要パケット識別子に対応する不要パケット領域を検出し、前記必要パケット抽出手段は、前記とは別の復調部から入力する第２のトランスポートストリームにおける必要パケット識別子に対応するパケットを抽出し、前記第１のトランスポートストリームにおける不要パケット領域に対して、前記第２のトランスポートストリームから抽出されるパケットを上書きすることによって得られ、前記パケット上書き手段から出力される前記カスタムトランスポートストリームを、前記入力部で指定される前記出力先へ出力するように構成してあることを特徴としている。
【手続補正４０】
【補正対象書類名】明細書
【補正対象項目名】００７６
【補正方法】変更
【補正の内容】
【００７６】
本願第１７のデジタル放送受信装置は、上記の第１２の発明において、デジタル放送波の変調波を受信するチューナと、前記チューナから出力される信号を復調してトランスポートストリームを出力する復調部の複数の組と、所望するトランスポートストリームを複数選択し出力先を指定する入力部とを備え、前記第１の必要パケット抽出手段は、前記復調部の一つから入力する第１のトランスポートストリームにおける必要パケット識別子に対応するパケットを抽出し、前記第２の必要パケット抽出手段は、前記とは別の復調部から入力する第２のトランスポートストリームにおける必要パケット識別子に対応するパケットを抽出し、前記第１、第２の必要パケット抽出手段によって抽出するパケットを新たなトランスポートストリームに挿入することによって得られ、前記パケット挿入手段から出力される前記カスタムトランスポートストリームを、前記入力部で指定される前記出力先へ出力するように構成してあることを特徴としている。
【手続補正４１】
【補正対象書類名】明細書
【補正対象項目名】００７７
【補正方法】変更
【補正の内容】
【００７７】
本願第１８のデジタル放送受信装置は、上記の第１１から第１７のいずれかの発明において、（ａ）映像再生装置、（ｂ）音声記録再生装置、（ｃ）デジタル映像記録装置のうちから任意に選択される装置をさらに備えていることを特徴としている。
【手続補正４２】
【補正対象書類名】明細書
【補正対象項目名】００７８
【補正方法】変更
【補正の内容】
【００７８】
本願第１９のコンピュータ読み取り可能なデジタル放送受信用の記録媒体は、入力する第１のトランスポートストリームについての、ユーザのインプットによって指定される所望のプログラムのために必要なパケットのパケット識別子である必要パケット識別子を登録する手順と、入力する第２のトランスポートストリームについての必要パケット識別子を登録する手順と、前記登録された第１のトランスポートについての必要パケット識別子と、入力した第１のトランスポートストリームについてのパケット識別子との比較に基づいて、ユーザのインプットによって指定される所望のプログラムのために必要でないパケットのパケット識別子である不要パケット識別子を検出する手順と、入力した第２のトランスポートストリームから前記登録された第２のトランスポートストリームについての必要パケット識別子に対するパケットを抽出する手順と、前記第１のトランスポートストリームにおいて前記検出した不要パケット識別子に対する不要パケット領域に対して、前記入力した第２のトランスポートストリームから抽出したパケットを上書きする手順とを実行させるためのプログラムをコンピュータ読み取り可能な状態で記録したＣＤ‐ＲＯＭなどの光ディスク、ＭＯなどの光磁気ディスク、ＦＤなの磁気ディスクあるいは磁気テープあるいはＲＯＭのような半導体メモリとして構成する。